Podtech/llm-jp-corpus-v4-ja_patent huggingface dataset:
(57)【要約】【課題】  タイツ等の厚地長靴下類を包装袋から取り出したときに、タイツ等の製品に包装袋内の台紙の存在によってはっきりと目立つ白いラインが生じないようにし、従来のタイツ等の包装における問題点を解決することができるタイツ等の厚地長靴下類の包装構造を提案する。【解決手段】  長さ方向両端部が内側に折り返された長尺帯状の台紙を内側として、該台紙をくるむように該台紙と共にタイツ等の厚地長靴下類を更に内側に折り返してフィルム製包装袋内に収納可能な大きさとすることを特徴とする。【選択図】        図１
0003102165.tif 000002
【実用新案登録請求の範囲】
【請求項１】
長さ方向両端部が内側に折り返された帯状の台紙をくるむように該台紙と共にタイツ等の厚地長靴下類を更に該台紙の長さ方向両側を内側に折り返してフィルム製包装袋内に収納可能な大きさとすることを特徴とするタイツ等の厚地長靴下類の包装構造。
【考案の詳細な説明】
【技術分野】
【０００１】
本考案は、タイツや比較的厚手のパンティストッキングなど、厚地長靴下類を折り畳んで包装袋に収納して販売する場合の包装構造に関するものである。
【背景技術】
【０００２】
タイツやパンティストッキングを包装する場合、従来は図５に示すように、タイツ等２を収納するためのフィルム製の包装袋４よりややサイズの小さな台紙１をくるむようにして該タイツ等２を折り畳み、包装袋４に密に装入されるのが一般的である。
【０００３】
しかしながら、このように折り畳むと、極く薄地で淡色系のパンティストッキングではさほど目立ないが、厚地のタイツや濃色系の比較的厚手のパンティストッキングやロングストッキングなどの場合には、台紙の端辺と接する生地部分が該端辺と強く圧接するため、その部分の生地に直線的に食い込み、また該台紙端辺に生じる紙粉が付着することがあるので、包装袋からタイツ等の製品を取り出したときに、特に濃色系の製品ではその部分が横方向の白いラインとしてはっきりと残って、着用時も目立ってしまうことがあり、このラインは一度洗濯するまでは消えないので、商品価値を下げてしまい、大きな問題となっていた。
【考案の開示】
【考案が解決しようとする課題】
【０００４】
本考案は、このように包装袋から取り出したときにタイツ等の製品にはっきりと目立つ白いラインが生じないようにして、従来のタイツ等の包装における問題点を簡単に解決することができた新規なタイツ等の包装構造を提案するものである。
【課題を解決するための手段】
【０００５】
本考案では、フィルム製包装袋内で使用する台紙を、横幅は従来のものとほぼ同等であるが、その長さが従来の２倍以上ある帯状の台紙を使用し、まず帯状の両端をそれぞれ内側へ少しく所定幅で折返してから、タイツ等の製品長靴下類と共に更に帯状の両側を内側へ折返すことにより包装袋に入る大きさとし、台紙の両端辺が製品と直接接しないようにして包装するものである。
【０００６】
即ち、本考案は長さ方向両端部が内側に折り返された長尺帯状の台紙をくるむように、該台紙と共にタイツ等の厚地長靴下類を更に該台紙の長さ方向両側を内側に折り返してフィルム製包装袋内に収納可能な大きさとすることを特徴とするタイツ等の厚地長靴下類の包装構造に関するものである。
【考案の効果】
【０００７】
本考案によるタイツ等の厚地長靴下類の包装構造は上記のようになり、従来のような包装袋よりサイズの小さな台紙をくるむようにしてタイツ等を折り畳む場合とは異なり、長尺帯状の台紙の両端部をまず内側に折り返してからタイツ等と共に更に内側へ折り返すので、台紙の両端縁が直接タイツ等に接触することがなく、従ってタイツ等が該台紙両端縁によって強圧されたり、該部から生じる紙粉が付着することもないから、タイツ等を包装袋から取り出したときに、横方向の白いラインが生じるようなこともなく、安心して着用することができるのである。
【考案を実施するための最良の形態】
【０００８】
図１〜図４は、本考案による台紙１を使用して製品タイツ２を包装する例を示すもので、本考案で包装する製品はタイツのほか、例えば糸の太さ４０デニール以上の黒色等の濃色系で比較的厚手のパンティストッキングやロングストッキングにも適用される。
【０００９】
台紙１は透明なフィルム製の包装袋４より左右幅がやや小さく（例えば幅１２〜１３ｃｍ）、包装袋３の縦幅のほぼ２倍に近い（例えば５０〜５５ｃｍ）長さを有する帯状を呈し、ある程度腰のしっかりした紙質を有している。
【００１０】
そこで、タイツ２を包装するには、帯状台紙１の長さ方向の両端部１ａ、１ａをまず内側へ所定幅（例えば３〜５ｃｍ）で折り返す（図１〜２参照）。この場合、あまり強く折り返さないで、折り元が小さなＲ曲面を有するように折り返すとよい。
【００１１】
次に、この台紙１を長さ方向に沿って二つ折りにした製品タイツ２上中央部に置いて、台紙１の長さ方向両端からはみ出しているタイツ２の両側部分を台紙１上に折り返して、台紙１をくるむようにする（図２参照）。
【００１２】
そして、更に台紙１の長さ方向両側から再度内側へ向けてタイツ２と共に折り返して、その左右にある折り返し端縁１ｂ、１ｂが互いに接近させるようにする（図３参照）。
【００１３】
これにより、製品タイツ２は台紙１と共に折り畳まれて、全体が包装袋４中に納まる大きさとなるので、必要により更に商品名やメーカー名、説明書き等が印刷表示された二つ折りの中紙３にくるんで透明フィルムの包装袋４中に挿入し、粘着テープ等で封止するのである。
【図面の簡単な説明】
【００１４】
【図１】本考案に係るタイツ等の厚地長靴下類の包装構造の包装過程を示す説明図である。
【図２】本考案に係るタイツ等の厚地長靴下類の包装構造の包装過程を示す説明図である。
【図３】本考案に係るタイツ等の厚地長靴下類の包装構造の包装過程を示す説明図である。
【図４】本考案に係るタイツ等の厚地長靴下類の包装構造の包装過程を示す説明図である。
【図５】従来のタイツ等の厚地長靴下類の包装構造を示す断面説明図である。
【符号の説明】
【００１５】
１−台紙
２−タイツ等の厚地長靴下類
３−中紙
４−透明フィルム製包装袋
５−窓
【図１】
0003102165.tif 000003
【図２】
0003102165.tif 000004
【図３】
0003102165.tif 000005
【図４】
0003102165.tif 000006
【図５】
0003102165.tif 000007
(57)【要約】      （修正有）【課題】ガス燃焼装置の安全バルブ本体にはめ込み用いる、火炎感知熱電対用の同軸型電気コネクタを有する安全組立部品を提供する。【解決手段】磁性組立部品１は電磁石用の金属台座３と熱電対の雌型端子を支える同軸型中空接続ブッシング６、及び接続ブッシング６を固定するための付加的筒状部７ｂを有する磁性組立部品用の搭載用フランジ７を備えて成る。金属台座の一方の端部３ａを変形する周辺縁部６ａに挿入する。搭載用フランジの筒状部７ｂを通るブッシング６の挿入をアシストするために、ブッシング６は傾斜する外部壁を有する。【選択図】図１
0003102166.tif 000002
【実用新案登録請求の範囲】
【請求項１】
同軸ケーブル型の火炎感知熱電対を有するガス燃焼装置の安全バルブ本体にはめ込み用いる磁性安全組立部品において、
電磁石（２）の外側金属台座（３）と、熱電対の位相端子の中央接続プラグ（４）と、磁性安全組立部品（１）を制御バルブに取り付けるための筒状部（７ｂ）を有する搭載用フランジ（７）と、挿入された金属台座の一方の端部（3ａ）を支えて変形する薄壁部からなる周縁部（６ａ）で構成された内側端部を有する中空金属外側接続ブッシング（６）を備えた電気コネクタ（４、６）を備えることを特徴とする磁性安全組立部品（１）。
【請求項２】
上記接続ブッシング（６）を上記搭載用フランジ（７）の上記筒状部（７ｂ）を通して取付ける際の挿入をアシストするために、該接続ブッシングが中央線（１ａ）に対して鋭角に傾斜する外壁部（６ｂ）を有する請求項１記載の磁性安全組立部品。
【請求項３】
上記接続ブッシング（６）が、熱電対の同軸雌型端子と接続する雄型端部（６ｃ）を有し、上記接続ブッシング（６）の内側側面（８、１２）が、接続した熱電対端子を保持するために直径方向に段面（１２）を有する請求項１記載の磁性安全組立部品。
【考案の詳細な説明】
【技術分野】
【０００１】
本考案は、ガス燃焼装置の火炎感知熱電対に電気的に接続する手段を有する安全バルブ磁性組立部品に関する。
【背景技術】
【０００２】
従来、燃焼装置のガス制御バルブにはめ込まれた、火炎感知熱電対用の同軸電気コネクタを有する磁性安全組立部品が知られている。
【０００３】
平成１２年１月１８日公開の特開２０００−１８５９１号特許文献に、同軸ケーブル型熱電対が電気的に接続する軸方向に向かって延びる一体型中央プラグと、磁性組立部品を嵌め込むための２つのねじ穴を有するディスク状のフランジとを有する磁性組立部品の実施例が示されている。上記公知のコネクタでは、磁性組立部品の電磁石の巻線の一端に中央プラグを接続し、他端は電磁石を支持する金属台座に接続することにより磁性組立部品に接地する。この公知の磁性組立部品においては、搭載用フランジが金属台座と電気的に接触し接地するとともにプラグの周囲に絶縁保護シリンダを固定する。
【特許文献１】特開２０００−１８５９１号公報
【考案の開示】
【考案が解決しようとする課題】
【０００４】
本考案の課題は、同軸ケーブル型火炎感知熱電対の電気的接続に用いる軸方向に延在する電気的コネクタを有する磁性安全部品を提供することである。
【０００５】
本出願の目的は、「位相端子」と「接地端子」の２つの端子を有する同軸コネクタと磁性組立部品搭載用のフランジを設けた、ガス燃焼装置の制御バルブ用の磁性安全組立部品を提供することである。
【課題を解決するための手段】
【０００６】
課題の解決のために、本考案による磁性安全部品は、熱電対位相ワイヤを接続する中央プラグ、金属製電磁軸受台座に取り付けられ熱電対が電気的に接地する外付け筒状中空ブッシング、及び磁性組立部品に接続ブッシングを固定するための搭載用フランジを備えて成る。
【考案の効果】
【０００７】
先行技術に対する本考案の効果は、中空接続ブッシング及び搭載用フランジの磁性組立部品への自動搭載ばかりでなく、部品同士の正確かつ確実な組立である。
【実施例】
【０００８】
本考案による実施例である磁性安全組立部品１を、図１，２を参照して説明する。磁性安全組立部品１はガス燃焼装置のバルブ本体に取付けて同軸ケーブル型外部火炎感知熱電対の電気コネクタを支えるために用いられる。この磁性組立部品１は外側金属台座３に支持される巻線２ａとコア２ｂを有する電磁石２、磁性組立部品の中央線方向に延在する接続プラグ４、熱電対外側コネクタ５（図２に破線で示す）を支えるための中空筒状接続ブッシング６、及び磁性安全組立部品１を装置のバルブ本体に固定するための搭載用フランジ７を備えて成る。
【０００９】
外径が例えば１１ｍｍの好ましくは真鍮製接続ブッシング６を金属台座３の一方の端部3ａに沿って圧入すると、その内側段面８が金属台座の端部３ａと当接する。ブッシング６の周縁部６ａは例えば厚さ０．５ｍｍ、高さ１．２ｍｍの薄壁であり、圧力を用いて上記のように挿入する間、金属台座３とブッシング6の間で変形しながら圧力により嵌め込まれる。このため、金属台座３も、挿入工程終了後ブッシングの周縁部６ａから例えば０．４ｍｍの空隙ｅをはさんで離れる台座本体の段面３ｂに続く挿入端部３ａを有する。熱電対コネクタ５を保持するために、ブッシング６は中央プラグ４の周囲に延在する熱電対コネクタ５の絶縁壁と接合させる第２の内側段面１２を有する。
【００１０】
金属台座３と電気的に接続する搭載用フランジ７は、磁性組立部品を固定するための対置する２つのねじ穴９を有するディスク状の平坦部７ａ、及びブッシング６を金属台座３に固定するための筒状部７ｂを備えて成る。
【００１１】
接続ブッシング６は、中央線１ａに対して例えば１０度の角度で傾き取り付け時に搭載用フランジの筒状部７ｂを通るブッシング６の挿入をアシストする外側壁６ｂを有する。ブッシング６はさらに傾斜壁６ｂに続いて搭載用フランジの周縁端部１１が係合する外側段面１０を有し、磁性組立部品の中央線１ａに対して心合わせする。接続ブッシング６は、熱電対の雌型コネクタと接合する筒状の自由端６ｃを有し、そのコネクタはブッシングにはめ込む際の前方移動時にフランジ７の前記周縁端部１１に対向する。
【図面の簡単な説明】
【００１２】
【図１】ガス安全バルブ用磁性組立部品の断面図である。
【図２】図１の磁性組立部品の電気的接続及び取付け手段を拡大して示す部分断面図である。
【符号の説明】
【００１３】
１     磁性組立部品
２     磁性組立部品電磁石
３     電磁石金属台座
４     電気接続プラグ
６     中空電気的接続ブッシング
６ｂ   接続ブッシング外側面
７     搭載用フランジ
７ｂ   搭載用フランジ筒状部
８     接続ブッシング内側側面
【図１】
0003102166.tif 000003
【図２】
0003102166.tif 000004
(57)【要約】      （修正有）【課題】組立、収納が、ほぼワンタッチで行えるとともに、収納にスペースをとらない儀式用飾り台の提供。【解決手段】後脚２,２aを粘着テープ・蝶番・布貼り・紙貼り・プラスチック製蝶番等で固定することによって、左右の脚部が扇形に開脚可能にし、供物台を支持するための前脚１,１aと後脚２,２aの下部横木４,４aに装飾台と穴付き止め木を取り付けて固定し、装飾台に取り付けている突起杭８を穴付き止め木の穴に差し込んで固定されるようにされている。【選択図】図１
0003102168.tif 000002
【実用新案登録請求の範囲】
【請求項１】
後脚部支材二本を左右に中央部分を粘着テープ・蝶番・布貼り・プラスチック製蝶番・紙貼り等で固定し、前面脚部支材二本と後脚部支材との間に上部と下部に横木を固定させ、左脚部下部の横木に装飾台の片方を粘着テープ・蝶番・布貼り・プラスチック製蝶番・紙貼り等で固定し、装飾台が折り畳め、また右脚部下部の横木に装飾台を固定するため止め穴を有する部材が配置され、その止め穴にセットするための装飾台裏側の突起杭が取付けていることを特徴とする儀式用飾り台である。
【考案の詳細な説明】
【技術分野】
【０００１】
この考案は儀式用飾り台に関するものである。
【背景技術】
【０００２】
儀式用飾り台としては、組み立てが難しく取扱説明書に準じて組み立てられるのが主流であり複雑であったため、次のような問題点があった
構造が面倒で、組み立てが複雑である。
組み立てが複雑な反面、解体移動が容易でない。
部品が多く、組み立てが複雑であるので、部品の欠品・破損した場合には、組み立てができない。
収納時には、部品を揃え取扱説明書を添付して保管を要する為、面倒である。
部材の解体により部品の裂罅・消耗が著しく、一度解体すると再組み立てが容易ではない。
【考案の開示】
【考案が解決しようとする課題】
【０００３】
この考案は、背景技術で記述した問題点を解消するためのもので、組み立て、収納が、ほぼワンタッチ式であり、収納も容易で場所をとらない儀式用飾り台の提供を目的とするものである。
【課題を解決するための手段】
【０００４】
この考案の儀式用飾り台は、後脚二本を粘着テープ・蝶番・布貼り・プラスチック製蝶番・紙貼り等で固定し、後脚を支点に前脚が左右扇形に開き、後脚と前脚には上部と下部付近に横木で固定され、左脚下部横木には右脚下部付近の横木に配置されている穴付きの部材に固定するための突起杭を備えた装飾台が固定されていることを特徴とするものである。
【考案の効果】
【０００５】
この考案は上述のように構成されているので、次のような効果を呈する。
儀式用飾り台を構成する各部材が、所定の機能を果たすため、予め連結されているので、使い易く組み立てが容易である。
各部材がセットされており紛失のおそれがない。
収納が容易で、各部材を解体する時間が短縮できる。
収納時には板状に収納できるので、収納場所をとらない。
前脚を扇形に開き一方の脚に固定された装飾台を他方の脚に配置されている穴付きの部材にセットする簡単な操作で、ほぼワンタッチで組み立て収納ができる。
【考案を実施するための最良の形態】
【０００６】
組み立て、収納を分かり易く簡単に行えるワンタッチ方式という目的を、儀式用飾り台の所定の機能を考慮したうえで、構成する各部材をほぼ連結することにより実現できた。
【実施例】
【０００７】
この考案の実施の形態の一例と図面を参照しながら説明するに、前脚１,１aは、図１に示すように、上部横木３,３a、下部横木４,４aとで、後脚２,２aに固定し、後脚２,２aは粘着テープ・蝶番・布貼り・プラスチック製蝶番等で固定され、下部横木に、例えば、図２に示すような装飾台５を固定している。
【０００８】
装飾台５は、図３に示すように、装飾台を固定するための、突起杭８が取り付けられ、図４に示すように止め穴付きの部材６が取り付けてある。
【０００９】
装飾台５は、図３に示すように、下部の横木４と固定するために蝶番７を取り付けられているが、固定する物は粘着テープ・布貼り・紙貼り・プラスチック製蝶番等でもよい。
【００１０】
本例では、図５,図６に示すように、真線状の後脚２,２aを図示したが、これに限定されるものではなく、飾りとしての見栄えをよくするために、弓状のソリを持たせてもよい。
【００１１】
また、前脚１,１aは弓状に図示したが、これに限定されるものでなく、真線状でもよい。
【００１２】
なお、左脚図５と右脚図６図示した左脚に装飾台５と右脚に穴付きの部材６を取り付け固定したが、これは左右脚部に限定されるものでなく、どちら側に有ってもよい。
【００１３】
なお、前脚１,１aと後脚２,２aを固定する上下二本の横木３,４を図示したが、これに限定されるものではなく、一枚板・襷がけの板・圧縮材・厚紙・プラスチックを使っても良い。
【００１４】
なお、図７においてお供物台Aは篭盛、周囲を造花・電飾光ファイバー花で飾ったものであるが、特に限定したものではない。
【００１５】
また、材質についても、特に限定はないが、軽量木材を適用し、軽量化することが便利である。
【００１６】
場合によっては、プラスチック製にて仕上げることも便利である。
【００１７】
実施に際し、図８に示すように、板状に収納されている本願の儀式用飾り台を取り出し、前脚１,１aを本願の儀式用飾り台を取り出し、前脚１,１aを扇状に開き、図３に図示している装飾台５に取り付けてある突起杭８を図４で図示している止め穴を有する部材６にセットし一瞬に組み立て作業が終了することができる。
【００１８】
収納する際には止め穴を有する部材６にセットされた装飾台５を上に持ち上げると、突起杭８が抜け、装飾台を下にし、前脚を閉じると図８に示すように板状になり、作業は一瞬のうちに終了する。
【産業上の利用可能性】
【００１９】
この考案は上述のように構成されているので、室内のコーナーディスプレイ用スタンドとして絵画・写真立て等にも利用が可能である。
【図面の簡単な説明】
【００２０】
【図１】考案の一実施例を示す正面図。
【図２】装飾台の一例を示す平面図
【図３】左脚部の一実施例を示す側面図
【図４】右脚部の一実施例を示す上面図
【図５】左脚部の一実施例を示す側面図
【図６】右脚部の一実施例を示す側面図
【図７】図１における側面図
【図８】（a）板状に収納した状態を示す正面図、（b）同側面図
【符号の説明】
【００２１】
１  左前脚
１a  右前脚
２  左後脚
２a  右後脚
３  左上部横木
３a  右上部横木
４  左下部横木
４a  右下部横木
５  装飾台
６  止め穴付き部材
７  蝶番
８  装飾台固定用突起杭
A  供物台
【図１】
0003102168.tif 000003
【図２】
0003102168.tif 000004
【図３】
0003102168.tif 000005
【図４】
0003102168.tif 000006
【図５】
0003102168.tif 000007
【図６】
0003102168.tif 000008
【図７】
0003102168.tif 000009
【図８】
0003102168.tif 000010
(57)【要約】【課題】  練習用ソフトボールボール球表面の摩耗によるコントロールや送球速度の低下を軽減し、打撃練習に於いて使用回数を向上させると共に、打撃者に対しても安全な打撃練習を可能とした練習用ソフトボール球を市販に提供することを目的とする。【解決手段】    ウレタン製及びゴム製の練習用ソフトボール球に於いて、該ソフトボール球表面に円形凹窩をほぼ等間隔で全体に対し１０個〜５０個穿設したことを特徴とする。このさい、円形凹窩は、その直径寸法を凡そ５ｍｍ〜１５ｍｍ程度、深さ寸法を凡そ１．５ｍｍ〜４ｍｍ程度となしたものとし、また円形凹窩の形成にさいし、底面に向う縁角θをθ＝６０°〜８０°の範囲の椀弧状に形成したものとする。【選択図】      図２
0003102162.tif 000002
【実用新案登録請求の範囲】
【請求項１】
ウレタン製及びゴム製の練習用ソフトボール球に於いて、該ソフトボール球表面に円形凹窩をほぼ等間隔で全体に対し１０個〜５０個穿設したことを特徴とする練習用ソフトボール球。
【請求項２】
円形凹窩は、その直径寸法を凡そ５ｍｍ〜１５ｍｍ程度、深さ寸法を凡そ１．５ｍｍ〜４ｍｍ程度となしたことを特徴とする請求項１記載の練習用ソフトボール球。
【請求項３】
円形凹窩の底面に向う縁角θをθ＝６０°〜８０°程度の椀弧状に形成したことを特徴とする請求項１又は２記載の練習用ソフトボール球。
【考案の詳細な説明】
【技術分野】
【０００１】
本考案は、主にバッティング練習場等に設置されたピッチングマシンに使用する練習用ソフトボール球に関する。
【背景技術】
【０００２】
従来、ソフトボール競技や練習に於いて使用されるソフトボール球は図１に示す如くウレタン製又はゴム製で、その大きさが１号（直径約８．４ｃｍ）、２号（直径約８．９ｃｍ）、３号（直径約９．５ｃｍ）の３種類のものがある。
とりわけ、ソフトボールの公式競技では、財団法人日本ソフトボール協会が認める検定球が使用されている。（非特許文献１参照）
一方、公式競技以外に使用される練習用ソフトボール球は、前記検定球や前記ソフトボール球（１号、２号、３号）など、球のサイズや重量等を問わず同じものを繰り返し使用している。
【非特許文献１】財団法人日本ソフトボール協会ホームページ
【考案の開示】
【考案が解決しようとする課題】
【０００３】
上記練習用ソフトボール球は、その使用回数が非常に多い。特にバッティング練習場で使用されるソフトボール球は、ピッチングマシンからの投球や打撃者のバットに当たるさい、その摩擦により球表面の細かい凹凸部が損傷しやすく劣化が著しく起こる。このためソフトボール球の寿命は短く、新しいボールの購入や交換が頻繁に必要となり、コスト的にも多く掛かるものとなる。
【０００４】
また、上記劣化した練習用ソフトボール球は、ピッチングマシンから投げ出されたさい球表面の凹凸が無いため空気抵抗が少なく、それにより浮力を失いコントロールが定まらなかったり送球速度が低下したりする。このため打撃者に対し暴投したり、打撃者が期待する送球速度は望めず、打撃練習の妨げにもなる問題が多大に起こり得るものとなる。
【０００５】
本考案は上記課題を解決せんとするもので、練習用ソフトボールボール球表面の摩耗によるコントロールや送球速度の低下を軽減し、打撃練習に於いて使用回数を向上させると共に、打撃者に対しても安全な打撃練習を可能とした練習用ソフトボール球を市販に提供するものである。
【課題を解決するための手段】
【０００６】
本考案の特徴とするところは、ウレタン製及びゴム製の練習用ソフトボール球に於いて、該ソフトボール球表面に特殊な円形凹窩をほぼ等間隔で全体に対し１０個〜５０個穿設したことを特徴とする。
このさい、円形凹窩は、その直径寸法を凡そ５ｍｍ〜１５ｍｍ程度、深さ寸法を凡そ１．５ｍｍ〜４ｍｍ程度となし、また円形凹窩の形成にさいし、底面に向う縁角θをθ＝６０°〜８０°の範囲の椀弧状に形成したものとなすのである。
【考案の効果】
【０００７】
本考案は以上説明した通り構成するものであって、ソフトボール球の表面全体に特殊な円形凹窩をほぼ等間隔に穿設することにより、使用回数の多い劣化した練習用ソフトボール球でも新品に近いコントロール性能を持続させることが可能となり、ピッチングマシンから投げ出される送球速度も著しく低下するこがないものとなる。
更には、打撃者に対しての暴投も軽減され安全性の向上にも寄与するほか、長期間に亘って使用することが可能となるのである。
【考案を実施するための最良の形態】
【０００８】
図２は、本考案に係る練習用ソフトボール球１の斜視図である。該練習用ソフトボール球１はウレタン製及びゴム製の材質が使用される。Ｈは該練習用ソフトボール球１の表面全体に隣接間がほぼ等間隔となるようにして１０個〜５０個穿設されてなる円形凹窩であり、各円形凹窩の直径寸法は凡そ５ｍｍ〜１５ｍｍ程度、深さ寸法は凡そ１．５ｍｍ〜４ｍｍ程度となされる。
【実施例１】
【０００９】
図３は、練習用ソフトボール球１に於ける円形凹窩Ｈの拡大断面図である。ここに円形凹窩の深さｄはＡに示す如きｄ１＝１．５ｍｍ〜３ｍｍ程度とするものと、Ｂに示す如き２．５ｍｍ〜４ｍｍ程度にしたりする。而してその底面に向う縁角θをθ＝６０°〜８０°程度にすることにより縁部が切り込んだ椀弧状となるようになされるのであり、これにより摩耗による影響を受け難いことから長期間の使用でもコントロール性能の低下を生じさせないものとなるのである。
【００１０】
上記した練習用ソフトボール球に穿設する円形凹窩の個数及び加工寸法は、練習用ソフトボール球のサイズにより適宜設定できるものであるが、本考案者の実験によれば練習用ソフトボール球１号サイズのものでは円形凹窩の直径寸法を６ｍｍ〜１１ｍｍ、深さ寸法（最深部）２ｍｍ〜３ｍｍ、個数１４個〜３０個、同ソフトボール球２号サイズのものでは円形凹窩の直径寸法を７ｍｍ〜１２ｍｍ、深さ寸法（最深部）２ｍｍ〜３ｍｍ、個数１４個〜３０個、同ソフトボール球３号サイズのものでは、円形凹窩の直径寸法を８ｍｍ〜１３ｍｍ、深さ寸法（最深部）２ｍｍ〜３ｍｍ、個数１４個〜３０個程度となしたのものが、その使用比較試験で他の条件のものより優れている。上記実施例に於いて穿設する円形凹窩の直径と個数との関係は、直径を大きくする場合は個数が少なくするように、そして直径を小さくする場合は個数が多くなるようにする関係である。
【図面の簡単な説明】
【００１１】
【図１】従来使用されているソフトボール球である。
【図２】本考案に係る練習用ソフトボール球である。
【図３】本考案に係る練習用ソフトボール球の凹窩部の拡大断面図である。
【符号の説明】
【００１２】
１      練習用ソフトボール球
Ｈ      円形凹窩
【図１】
0003102162.tif 000003
【図２】
0003102162.tif 000004
【図３】
0003102162.tif 000005
(57)【要約】［課題］コンセント本体に、穴を設け、力が無くても簡単、確実に抜くことができるようにする。［解決手段］コンセント本体１からカット部分２を設けることにより、穴に指３が通せるようにした。【選択図】  図２
0003102663.tif 000002
【実用新案登録請求の範囲】
【請求項１】
本体に穴を設ける事により，指が入り力が入れ易いコンセント。
【考案の詳細な説明】
［技術分野］
【０００１】  この考案はコンセント本体に穴を設けたコンセントに関するものである。
［背景技術］
【０００２】  従来、コンセント本体には、指が通せる穴は設けていなかった。
［考案の開示］
［考案が解決しようとする課題］
【０００３】  高齢者や障害者など，従来のコンセントだと、引き抜く力、本体をつまむ力が必要な為、抜けきれず、隙間にほこりが溜り、ときには漏電、火災という危険があった。
［課題を解決するための手段］
【０００４】  力を入れやすくする為、コンセント本体１からカット部分２を設ける事により、指３が通るようにした。
［考案の効果］
【０００５】  高齢者、障害者など指先が不自由な方でも、指が通る穴がある事により、従来のモノよりも、簡単、確実に引き抜く事が出来る。
なお、コンセント本体とコ−ドのつなぎ部分損傷もなくなる。
［考案を実施するための最良の形態］
【０００６】  以下、本考案の実施例について説明する。
コンセント本体に、指の通せる穴を設ける。
コンセント本体を抜き差しする場合、穴に指を通して使用する事ができる。
従来のモノよりも、握る力は必要としなくなる。
【図面の簡単な説明】
【０００７】
【図１】本考案のコンセント本体とカット部分を示した平面図である。
【図２】本考案の使用状況をしめす平面図である。
【図３】本考案の使用状況をしめす断面図である。
【符号の説明】
【０００８】  １  コンセント本体
２  カット部分
３  指
【図１】
0003102663.tif 000003
【図２】
0003102663.tif 000004
【図３】
0003102663.tif 000005
(57)【要約】【課題】      ベルトコンベヤローラの軸受部シールを構成する非接触型微小間隙の迷路形成内側シール及び外側シールは、主としてプラスチックやゴムの成型品であるため、熱に弱く変形や発火の危険性がある。【解決手段】  金属製のパイプ１と、このパイプの両端内に前記パイプと共に回転するように設けた金属製のベアリングケース２と、上記パイプの軸芯に貫通させて上記ケース内のベアリング４に両端部を軸承したシャフト３とからなり、上記ベアリングの外側で一対により迷路を形成するように上記シャフトに金属板製の外側シール板５を上記ベアリングケースに金属板製の内側シール板６をそれぞれ支持させ、この外側シール板と内側シール板との上記迷路の間隙にグリス７を充填した構成を採用する。【選択図】    図２
0003102664.tif 000002
【実用新案登録請求の範囲】
【請求項１】
金属製のパイプと、このパイプの両端内に前記パイプと共に回転するように設けた金属製のベアリングケースと、上記パイプの軸芯に貫通させて上記ケース内のベアリングに両端部を軸承したシャフトとからなり、上記ベアリングの外側で一対により迷路を形成するように上記シャフトに金属板製の外側シール板を上記ベアリングケースに金属板製の内側シール板をそれぞれ支持させ、この外側シール板と内側シール板との上記迷路の間隙にグリスを充填したことを特徴とするベルトコンベヤローラの軸受部シール装置。
【考案の詳細な説明】
【技術分野】
【０００１】
この考案は、ベルトコンベヤのベルトを支承するローラの軸受部のシール装置に関する。
【背景技術】
【０００２】
ベルトコンベヤの高速化や省エネルギー化にともない、現在のローラの軸受部シールは、非接触型が主流である。
【０００３】
上記の非接触型シールは、一般にグリスの充填した微小隙間を迷路のように配置した構造で、パイプと共に回転するベアリングケースに支持させた内側シールと、シャフトに支持させた外側シールとからなる（例えば、特許文献１参照）。
【０００４】
【特許文献１】特開昭６３−２７２７１０号公報（図１）
【考案の開示】
【考案が解決しようとする課題】
【０００５】
ところで、非接触型シールの内側シールと外側シールとは、主としてプラスチックやゴムの成型品が用いられている。
【０００６】
すると、成型品は、熱に弱く変形や発火の危険性がある。
【０００７】
上記の発火の危険性は、高温の材料や石炭などの燃料を輸送するときに、これらが自然発火した場合、延焼を助長し被害が拡大する可能性が高い。
【０００８】
また、廃棄処分する際、ローラは、金属とシール装置のプラスチックの成型品との異質材料のため、金属廃棄物として見なされないため産業廃棄物になる。
【０００９】
このため、廃棄処理に大幅な出費になる。
【００１０】
なお、シール装置を回収することで金属廃棄物として処理することができる。
【００１１】
しかしながら、手間のかかるシール装置の回収によって大幅な出費になる。
【００１２】
そこで、この考案の課題は、上述の各種問題を解決したベルトコンベヤローラを提供することにある。
【課題を解決するための手段】
【００１３】
上記の課題を解決するために、この考案は、金属製のパイプと、このパイプの両端内に前記パイプと共に回転するように設けた金属製のベアリングケースと、上記パイプの軸芯に貫通させて上記ケース内のベアリングに両端部を軸承したシャフトとからなり、上記ベアリングの外側で一対により迷路を形成するように上記シャフトに金属板製の外側シール板を上記ベアリングケースに金属板製の内側シール板をそれぞれ支持させ、この外側シール板と内側シール板との上記迷路の間隙にグリスを充填した構成を採用する。
【考案の効果】
【００１４】
以上のように、この考案のベルトコンベヤローラの軸承部シール装置によれば、ローラの各部とベアリングの外側一対により迷路を形成する内外シール板とが全て金属製のため熱による変形や発火の危険性をなくすることができると共に、リサイクルや金属廃棄物としての処理が可能になるため、産業廃棄物としての不都合を解消することができる。
【００１５】
また、金属板のプレスにより内外のシール板を成型するので、金属を精密鋳造や型鍛造で成型するよりも大幅にコストを低減することもでき、プラスチックやゴムの成型品と同等のコストでできる。
【考案を実施するための最良の形態】
【００１６】
以下、この考案の実施形態を添付図面に基づいて説明する。
【００１７】
図１及び図２は、この考案に係るベルトコンベヤ用ローラを示すもので、金属製パイプ１の両端内には、パイプ１と共に回転する金属製のベアリングケース２が設けてある。
【００１８】
上記のベアリングケース２は、薄鋼板のプレス成型品で、パイプ１の両端部内に嵌入して、パイプ１の内周面にベアリングケース２の周縁を溶接により固着して共に回転するようになっている。
【００１９】
また、パイプ１の軸芯にシャフト３を貫通させて、このシャフト３の両端部をベアリングケース２に組み込んであるベアリング４により回転自在に軸承させてある。
【００２０】
さらに、ベアリング４の外側には、一対によって水や粉塵の侵入を防止する迷路Ａを形成すると共に、上記シャフト３に金属板製の外側シール板５が、ベアリングケース２に金属板製の内側シール板６が支持させてある。
【００２１】
上記の外側シール板５及び内側シール板６は、薄鋼板のプレス成型品で、シャフト３に対する外側シール板５、ベアリングケース２に対する内側シール板６の支持手段は、圧入方式（内外シール板６、５の筒状部の）によって行なっている。
【００２２】
なお、迷路Ａの微小間隙は、できるかぎり外径側に配置し、かつ間隙には、シール効果を高めるためにグリス７が充填してある。
【００２３】
上記ベルトコンベヤローラの各部（シールを含む）に金属（薄鋼板のプレス成型品）を用いる要因は、環境面でリサイクルや廃棄処分の問題を解消することにある。
【図面の簡単な説明】
【００２４】
【図１】この考案のベルトコンベヤローラを示す一部切欠正面図
【図２】同上の要部を示す縦断拡大正面図
【符号の説明】
【００２５】
１      パイプ
２      ベアリングケース
３      シャフト
４      ベアリング
５      外側シール板
６      内側シール板
７      グリス
【図１】
0003102664.tif 000003
【図２】
0003102664.tif 000004
(57)【要約】      （修正有）【課題】うちわの表面に物体の前部、裏面に物体の後部を印刷して、絵や写真に立体感、存在感を持たせることにある。【解決手段】うちわの表面に、物体の正面の絵柄や写真を印刷し、且つ、うちわの裏面に物体の背面の絵柄や写真を輪郭を合わせて印刷した。【選択図】なし【実用新案登録請求の範囲】
【請求項１】
表面にキャラクターの動物、物、人物、建物等の絵や写真を印刷し、裏面には表面に印刷した絵や写真の物体の輪郭に合わせて後姿や後方部を印刷したうちわ。
【考案の詳細な説明】
【技術分野】
【０００１】  この考案は、表面にキャラクターの動物、物、人物、建物等の絵や写真を印刷し、裏面には表面に印刷した絵や写真の物体の輪郭に合わせて後姿や後方部を印刷したうちわに関するものである。
【背景技術】
【０００２】  従来のうちわは、表面や裏面に絵や写真等をそれぞれ印刷しているものがあったが、絵や写真が表面と裏面において輪郭で一体化したものは無かった。
【考案の開示】
【考案が解決しようとする課題】
【０００３】この考案は、動物等の前姿を表面に、後姿などを裏面に輪郭で一致、あるいは、ほぼ一致させてうちわに印刷した事にある。
【課題を解決する為の手段】
【０００４】解決手段を図面を追いながら説明すると
（イ）うちわの表面１に、物体の絵や写真を印刷する。
（ロ）うちわの裏面２に、表面の絵柄や写真の物体の輪郭に合わせて、その物体の後姿や後方部を印刷する。
（ハ）うちわの裏面２に、表面の絵柄や写真の物体の輪郭をほぼ一致させてその物体の後姿や後方部を印刷する。
【考案の効果】
【０００５】  うちわの表面にキャラクターの人物、動物などの前姿、うちわの裏面に後姿が印刷されているので平面の印刷に立体感や存在感が生まれた。
【考案を実施するための最良の形態】
【０００６】  棒付のうちわの他、平面板に親指の入る穴のあいたうちわ、又、扇子などの表面に前姿、裏面に後姿を印刷する。
【産業上の利用可能性】
【０００７】  本考案は、以上のような構造であるから、うちわであおいだ時、動物などの前姿と後姿が交互に視覚にはいってくる。扇子もひらいた時は、うちわと同様の形状になるので同じである。
【図面の簡単な説明】
【０００８】
【図１】うちわの正面図
【図２】うちわの背面図
【図３】うちわの正面図
【図４】うちわの背面図
【符号の説明】
【０００９】１は、うちわの表面
２は、うちわの裏面
【図１】
0003102618.tif 000002
【図２】
0003102618.tif 000003
【図３】
0003102618.tif 000004
【図４】
0003102618.tif 000005
(57)【要約】      （修正有）【課題】視覚的美的な遊び感覚と癒しを味わうことができる印鑑を提供する。【解決手段】透明印材上部本体（１）に、凸部（３）を設けたドーム（２）を形成し、この前記本体に、脱着可能にして緊合する、印材下部本体（４）を設け、この印材下部本体（４）には固定爪（５）と印材彫刻部（６）を配して設け、さらにこの印材下部本体（４）の背面部（７）に対して脱着交換可能に固定した、ミニモニュメント（８）や液体等と共に封入形成した、透明密閉モニュメント（９）を設けて、これらをドーム（２）に合わせて印材下部本体（４）と共に、透明印材上部本体（１）に緊合装着する。【選択図】図１
0003102615.tif 000002
【実用新案登録請求の範囲】
【請求項１】
透明印材上部本体（１）に、凸部（３）を設けたドーム（２）を形成し、この前記本体に、脱着可能にして緊合する、印材下部本体（４）を設け、この印材下部本体（４）には固定爪（５）と印材彫刻部（６）を配して設け、さらにこの印材下部本体（４）の背面部（７）に対して脱着交換可能に固定した、ミニモニュメント（８）や液体等と共に封入形成した、透明密閉モニュメント（９）を設けて、これらをドーム（２）に合わせて印材下部本体（４）と共に、透明印材上部本体（１）に緊合装着してなる印鑑。
【考案の詳細な説明】
【技術分野】
【０００１】  本考案は、透明を生かしたデザイン印鑑に関するものである。
【背景技術】
【０００２】  従来、印鑑は捺印目的であり、昔ながらの通念として、外観等こだわらなかった。
【考案の開示】
【考案が解決しようとする課題】
【０００３】  しかしながら、時代と共にものの考え方や感性が変化しており、昨今ファッション的な印鑑でも、若者を中心に取り入られる傾向があり増加すると思われる。
最近では、特開２００３−１７５６６２（印鑑基材およびその製造方法）に見られるように、透明の印鑑筒体の内周面に絵柄付シートを設け、この前記筒体に透明合成樹脂を注入したものが商品化されている。これはまさに印鑑の本体外周を花柄模様等で表現された、おしゃれ感覚の印鑑である。【０００４】  また、登録実用新案３００１０６１号（本体内に彫刻像を収納した印鑑）のように、印鑑本体に空間部を設け、この空間部に彫刻像を収納させた物がある。【０００５】  まず、特開２００３−１７５６６２は絵柄付シートをセットした筒体に、透明合成樹脂を注入するので、製作加工が面倒であった。また、おしゃれ感覚は良いが、所持した一個の印鑑で絵柄を変えたり、筒体の中で動く絵柄や動く魚キャラクター等で、楽しむ様な物は不可能であり、より遊び感覚な印鑑に乏しかった。さらには、登録実用新案３００１０６１号のように、印鑑内部に彫刻像等を収納しているので、中身を取り出さないと見れない物では、時代錯誤といわれる代物として、普及は無理である。つまり、印鑑を透明にしない点で、古式以来の印鑑と同じである。
本考案は、このような問題を改善する為になされたものである。
【課題を解決するための手段】
【０００５】  わざわざ透明に透けて見えるようにした、透明印材上部本体（１）に、小さな凸部（３）を設けたドーム（２）を形成する。この透明印材上部本体（１）に対して、脱着可能にして緊合する、印材下部本体（４）を設ける。そして印材下部本体（４）には前記上部本体に緊合させる固定爪（５）をその背面部（７）に設け、前面に印材彫刻部（６）を配して設ける。さらに背面部（７）に脱着交換可能に固定した、ミニモニュメント（８）および水等と共に、ミニ造花、ミニ魚、泡等を封入して形成した、透明密閉モニュメント（９）を設けて、ドーム（２）に合わせて、これらを印材下部本体（１）と共に一体に、透明印材上部本体（１）に緊合させ装着する。
本考案は、以上のような構成よりなる印鑑である。
【考案の効果】
【０００６】印鑑本体が透明になった効果は大きく、封入体には液体や砂その他を設けられるので、多様で豊かな遊び感覚がさらに大きく広がり、もちろん、お洒落でもある。
また、観音さんや大仏像や動物、その他のミニモニュメントも設けられるので、従来にない、広い需要人気が得られる。
【考案を実施するための最良の形態】
【０００７】  本考案は透明にしたことが大きな特徴であり、透明印材上部本体（１）に小さな凸部（３）を設けた、空間のドーム（２）を形成する。【０００８】  この透明印材上部本体（１）に脱着が可能であり、且つ緊合できる印材下部本体（４）を設ける。この印材下部本体（４）の背面部（７）に固定爪（５）を設ける。【０００９】  また前面には印材彫刻部（６）を配して設ける。さらに印材下部本体（４）の背面部（７）には、脱着交換を可能に固定できる、観音像、大仏像、あるいは動物の彫刻等のミニモニュメント（８）や、あるいは液体、ミニ造花、ミニ魚、気泡粒、ミニ草木、砂等利用したミニ砂時計、その他を、完全に密閉封入し形成した、透明密閉モニュメント（９）を設ける。【００１０】  そして、このミニモニュメント（８）あるいは透明密閉モニュメント（９）をドーム（２）に合わせて、印材下部本体（１）と共に一体に、透明印材上部本体（１）に緊合させて装着する。【００１１】  本考案は、以上のような構成であり、これを使用せんとするときには、捺印行為と共に、普段は視覚的な遊びができる。たとえば、軽く振ってやると水等の液体に浮遊する泡玉とか、造花、造魚、等が動くので、実に美的で楽しい視覚的な癒しを、所有者は味わえるのである。また砂などを入れたものは、上下ひっくりかえして扱えば、１分砂時計として遊ぶことができる。【００１２】  そして、観音様や大仏像、動物像を入れたものであれば、眺めて楽しめる。またこれらモニュメント類は脱着出来るので、いろいろ取り替えて楽しむ事ができるのである。【００１３】  このモニュメント類の脱着交換方法は、ネジ止め、インサート差込等、その他考えられるし、完全に交換しない方法でも良い、例えば固定型にしてしまっても良い。
このように利用する度に、楽しみを提供する特徴がある。
【図面の簡単な説明】
【００１４】
【図１】    本考案の透明密閉モニュメントの斜視図である。
【図２】    本考案の透明密閉モニュメントの組立図である。
【図３】    本考案のミニモニュメントの組立図である。
【図４】    本考案のミニモニュメントの斜視図である。
【符号の説明】
【００１５】    １  透明印材上部本体
２  ドーム
３  凸部
４  印材下部本体
５  固定爪
６  印材彫刻部
７  背面部
８  ミニモニュメント
９  透明密閉モニュメント
【図１】
0003102615.tif 000003
【図２】
0003102615.tif 000004
【図３】
0003102615.tif 000005
【図４】
0003102615.tif 000006
(57)【要約】【課題】  一つもジッパーを用いず、使用者にストレスを感じさせないで、長時間水に入っていることを可能とし、入水を防ぎ、保温性のある、寒冷地用のウエットスーツを提供する。【解決手段】  ウエットスーツは前が開口しており、開口の両側縁部に布製ベルクロがつき、それにより開口が閉じることが出来、開口には一枚の生地がつき、その生地の後に保温用の中当てがつき、首はいわゆるコイルネックという細い帯を巻き、布製ベルクロで端部を固定し、前を開口したことで、着脱がし易く、ジッパーが無いので、身体が自由に動き、ストレスが溜まらず、しかもいわゆるコイルネックの帯で首を巻いて止めるので、入水が殆んどない。又、中当てによる保温性もある。【選択図】  図１
0003102611.tif 000002
【実用新案登録請求の範囲】
【請求項１】
前側が広く開口しており、左右の縦方向の布製ベルクロがその開口を閉じて固定可能であり、その開口部には、一枚の生地がついており、その生地の裏に保温用中当てがつき、首部は横方向に細長く帯状で、首部を捲いて端部の布製ジッパーで固定することが可能な、いわゆるコイルネックを用いたジッパーを用いない寒冷地用ウエットスーツ。
【考案の詳細な説明】
【技術分野】
【０００１】
本考案は、特に寒冷地用で、ジッパーを用いないウエットフルスーツに関する。
【背景技術】
【０００２】
今までは、ウエットスーツはジッパーを用いていたので、使用者のストレスが溜り、又、使い勝手が悪かった。
【特許文献１】特記すべき先行文献なし。
【非特許文献１】サーフィンの雑誌等で取り上げられているものは全てジッパーによるものである。
【考案の開示】
【考案が解決しようとする課題】
【０００３】
本考案は、着易く、保温性のあるウエットスーツを提供する。
【課題を解決するための手段】
【０００４】
本考案は前側が広く開口しており、左右の縦方向の布製ベルクロがその開口を閉じて固定可能であり、その開口部には、一枚の生地がついており、その生地の裏に保温用中当てがつき、首部は横方向に細長く帯状で、首部を捲いて端部の布製ジッパーで固定することが可能な、いわゆるコイルネックを用いたジッパーを用いない寒冷地用ウエットスーツである。
【考案の効果】
【０００５】
前を開口したことで着脱がし易く、又、ジッパーを無くしたので、身体が自由に動き、ストレスが全く無い。前部開口部の布を右肩の方に折り込み、更にいわゆるコイルネックで巻き付けるので、首からの入水がほとんど無い。
又、コイルネックは、首の大きさ、絞め具合も自由に調整できるので、その時のコンディションに合せ調整できる。開口部を広くしたことで、楽に着脱できる。
【０００６】
又、中当て５があるので寒冷地での保温が良い。
この中当て５は辺部で接着し、中央はひらひらしているものである。又、着た時、全体の美観が良い。
【考案を実施するための最良の形態】
【０００７】
着る時は、腰部、股下までキッチリ引き上げ、片腕を通す。
ウエットスーツ１の前側は、開口しており、開口部が広く、左右の縦方向の布製ベルクロ２，３がその開口を閉じて固定可能である。両布製ベルクロ２，３の間に、一枚の生地４がついている。生地４の後に、胸部保温用の中当て５がついている。
右の布製ベルクロ３の上部に、細長い帯６、いわゆるコイルネックがつき、それを巻きつけて、首部よりの入水を防ぐ。
帯６の先端には、又、布製ベルクロ７がつき、首に回して、スーツの布製ベルクロ８を固定できる。
【０００８】
着る時は、前開口部を折りたたみ処理し、前の布製ベルクロ２，３を固定し、最後はコイルネックの帯５で止める。
脱ぐ時は、片方の腕のひじを先に抜き、肩をはずして脱ぐ。又、ひじを抜く部分１０は広くしてある。身体に当る部分は５ｍｍの厚さで、腕、膝下は３ｍｍの厚さである。
【産業上の利用可能性】
【０００９】
寒冷地では特に有用に利用でき、本考案により、保温性のあるウエットスーツが実現した。又、ジッパーが無いので、体が自由に動き、ストレスが溜らず長時間水に入っている事が出来るので、広く利用される可能性がある。
【図面の簡単な説明】
【００１０】
【図１】前を開いた状態を示す斜視図である。
【図２】閉じた状態の斜視図である。
【符号の説明】
【００１１】
１  ウエットスーツ
２  布製ベルクロ
３  布製ベルクロ
４  生地
５  中当て
６  帯
７  布製ベルクロ
８  布製ベルクロ
９  ひじの部分
【図１】
0003102611.tif 000003
【図２】
0003102611.tif 000004
(57)【要約】【課題】  足首が自由にならない人には、従来の長靴等では履かせづらかった。【解決手段】  本考案はどのような足にも靴を履く脱ぐ行為が楽に対応でき、ある程度の寒さに耐えられるように、足カバー本体の外側の布地１は軟らかく軽く水を通しずらく、内側の布地４は毛足のある温かい素材とし、ファスナー２をカバーの上端からつま先まで取付げることによりカバーを広げて足を包み込むように履かすことができ、脱げ防止としてバンド３、ゴム５を取付けた。【選択図】  図３
0003102617.tif 000002
【実用新案登録請求の範囲】
【請求項１】
外側（１）は水を通しずらく軽くて軟らかい布地で覆い、内側は毛足のある温かい布地（４）をもって足を包み、履かせやすいようにファスナー（２）をカバー上端からつま先近くまで伸ばし、上端と足のくるぶし部分にゴム（５）を入れ、さらに、足のくるぶし部分に布製バンド（３）をつけ脱げ防止をした歩行が困難な人の為の保温性のあるブーツ状の足カバー。
【考案の詳細な説明】
【技術分野】
【０００１】  本考案は、歩行が困難で市販の靴では履けない人のために、履かせやすく温かい内部外部兼用の足カバーに関するものである。
【背景技術】
【０００２】  歩行が困難な人の為の保温性があり、履かせ易く内部外部どちらにも使用できる足カバーは今までになかった。
【特許文献１】実用新案登録、第３０２６２８０号障害者用深靴は、歩く為の装具の代わりの靴で本人が片手で履きやすくした靴であり、用途が全く異なっている。
【考案の開示】
【考案が解決しようとする課題】
【０００３】  従来、靴は基本的に歩く為のもので、強度・防水・防寒には優れているが、足が自由にならない人には、履かせにくく、重たく、足が細いと脱げてしまうと言う問題点を有していた。
【課題を解決するための手段】
【０００４】  外側は水を通しずらく軽くて軟らかい布地で覆い、内側は毛足のある温かい布地をもって足を包み、履かせやすいようにファスナーをカバー上端からつま先近くまで伸ばし、上端と足のくるぶし部分にゴムを入れ、さらに、足のくるぶし部分に布製バンドをつけ脱げ防止をした。
【考案を実施するための最良の形態】
【０００５】  足カバー本体の外側素材は、軟らかく水を通しづらいソフトレザーを使用し、内側の素材は毛足のある温かい毛布を使用する。カバー上端部と足のくるぶし部分にゴムを入れることにより前記部分をつぼめ、風の侵入防止と脱げ防止を図る。さらに足のくるぶし部分にマジックテープの付いたバンドを取付け脱げ防止を図る。足カバーの上端からつま先までファスナーを取付けることによりカバーを広げて足を包み込むことが出来る。
【実施例】
【０００６】  以下、添付図面に従って一実施例を説明する。１は軟らかく水を通しづらい素材にて一形成された足カバー本体の外側、２はカバーを広げて履かせやすくするための一足カバー上端からつま先部分まで取付けたファスナー、３は脱げ防止のための一マジックテープ付きバンド、４は毛足のある温かい素材にて一形成された足カバー本体の内側、５は風の侵入防止と脱げ防止のため一ゴムを取付け絞り込む。
【考案の効果】
【０００７】  上述の様に、本考案の歩行が困難な人の為の保温用足カバーは、市販の靴では履けない、履かせづらい人のために考案された足カバーで、特に冬外へ出かける時、雪遊びをする時、夏でも冷房の効いた部屋に長時間いるときなど温かく、履けば必ず気に入ってもらえると思います。
【図面の簡単な説明】
【図１】本考案の歩行が困難な人の為の保温用足カバーの一実施例を示す側面図である。
【図２】本足カバーの真上から見た図である。
【図３】本足カバーの斜視図である。
【符号の説明】
１  足カバー本体の外側
２  ファスナー
３  バンド
４  足カバー本体の内側
５  ゴムの取付け部分
【図１】
0003102617.tif 000003
【図２】
0003102617.tif 000004
【図３】
0003102617.tif 000005